(57)【要約】【課題】  雑菌等が発生してもこの雑菌等が酸素富化空気とともに吐出されるのを防止する酸素富化機の吐出口の提供を目的とする。【解決手段】  本体２１ａと蓋体２１ｂとを有し、前記本体と蓋体とのあいだにフィルター３４を設け、連結管を介して酸素富化機から酸素富化空気の供給を受け、前記酸素富化空気を前記フィルター３４通過後に吐出する酸素富化機の吐出口としてあり、雑菌等が発生してもこの雑菌等が酸素富化空気とともに吐出されるのを防止することができる。【選択図】  図９ 
2004219041.tif 000002
【特許請求の範囲】
【請求項１】
本体と蓋体とを有し、前記本体と蓋体との間にフィルターを設け、且つ連結管を介して酸素富化機から酸素富化空気の供給を受け、前記酸素富化空気を前記フィルター通過後に吐出する酸素富化機の吐出口。
【請求項２】
フィルターを、バイオ除菌フィルター及び／又は高捕集効率フィルターとした請求項１記載の酸素富化機の吐出口。
【請求項３】
除菌フィルターが球状体を有すること請求項２記載の酸素富化機吐出口。
【発明の詳細な説明】
【技術分野】
【０００１】
本発明は、酸素富化手段を用いて得られる、いわゆる酸素富化空気を使用者に提供する酸素富化機に関するものである。
【背景技術】
【０００２】
従来の酸素富化機としては、空気中の酸素を濃縮して酸素富化空気を発生させる装置本体と、これに接続された酸素吐出口と、音声発生源と、ヘッドホンタイプの音声出力部等からなり、前記酸素吐出口と前記音声出力部を一体にし、前記酸素吐出口を人体の口の部分に位置させることで酸素吸入できるようにしてある（例えば、特許文献１参照）。
【特許文献１】特開平３−６３０６７号公報
【発明の開示】
【発明が解決しようとする課題】
【０００３】
しかしながら前記従来の構成では、酸素濃縮装置から酸素吐出口に酸素富化空気が送られる経路の途中において結露が発生し、この結露した水滴がそのまま酸素吐出口から吐出して、使用者がこの結露した水滴等を酸素富化空気と一緒に吸込んでしまうという問題があった。
【０００４】
また、酸素吐出口までの経路内に水滴がそのまま残ってカビや雑菌の発生の原因となるという問題もあった。
【０００５】
本発明はこのような従来技術に対し特に雑菌等が発生してもこの雑菌等が酸素富化空気とともに吐出されるのを防止する酸素富化機の吐出口の提供を目的とする。
【課題を解決するための手段】
【０００６】
上記目的を達成するため本発明は、本体と蓋体とを有し、前記本体と蓋体との間にフィルターを設け、連結管を介して酸素富化機から酸素富化空気の供給を受け、前記酸素富化空気を前記フィルター通過後に吐出する酸素富化機の吐出口としてあり、雑菌等が発生してもこの雑菌等が酸素富化空気とともに吐出されるのを防止することができる。
【発明の効果】
【０００７】
以上のように本発明によれば、雑菌等が発生してもこの雑菌等が酸素富化空気とともに吐出されるのを防止することができる。
【発明を実施するための最良の形態】
【０００８】
第１の発明は、本体と蓋体とを有し、前記本体と蓋体との間にフィルターを設け、且つ連結管を介して酸素富化機から酸素富化空気の供給を受け、前記酸素富化空気を前記フィルター通過後に吐出する酸素富化機の吐出口としてあり、雑菌等が発生してもこの雑菌等が酸素富化空気とともに吐出されるのを防止することができる。
【０００９】
また第２の発明は、フィルターを、バイオ除菌フィルター及び／又は高捕集効率フィルターとしてあり、キャッチした菌の活動を抑制するとともに、カビの活動も抑制する為より雑菌の吐出を防止することが出来る。
【００１０】
さらに第３の発明は、除菌フィルターが球状体を有するものであり、酸素富化空気に香りをつけることが出来る。
【００１１】
（実施の形態１）
以下、本発明の第１の実施の形態について図面を用いて説明する。
【００１２】
図１から図１０において、本体１の内部には、酸素の濃度を高め、いわゆる酸素富化空気を発生する、例えば酸素富化膜ユニット等の酸素富化手段（以下、「酸素富化膜ユニット」と称す）２を設けている。前記酸素富化膜ユニット２は有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニット２を通過後の酸素富化空気においては、酸素が占める割合が約３０％（窒素約７０％）となる。
【００１３】
また前記酸素富化膜ユニット２は、図６、図７に示す如くメッシュ構造のフレーム３の両側面に略長方形の酸素富化膜４を貼って両膜間を通路としたモジュール５を、複数枚積層した略直方体のユニット構造となっており、フレーム３の通路内を吸引することにより、酸素富化膜４の周辺を流れる空気の一部が酸素富化膜４を通過してフレーム３の通路内に入りこみ、酸素富化空気が得られ、この得られた酸素富化空気を酸素富化膜ユニット２の唯一の排出口であるユニット排出口６から集中排気している。また前記略直方体状の酸素富化膜ユニット２は、その構成部材である前記略長方形の酸素富化膜４を、短辺側が空気の進行方向（本発明では本体１の前後方向）と略並行に、長辺側が空気の進行方向と略直角方向になるように、本体１内に設けられている。
【００１４】
また本体１の内部には、本体１の背面に設けた吸気口７から本体１内に外気を吸引し、酸素富化膜ユニット２に送った後、酸素富化膜４を通過しフレーム３の通路内に吸引された空気を除いた外気を、本体１の側面に設けた排気口８から外部に排出するためのモーターファン等の送風部（以下、「ファン」と称す）９を有している。また前記ファン９は、酸素富化膜ユニット２の下流側で、排気口８の近傍に設けられており、ファン９に対して、酸素富化膜ユニット２の反対側には回路７０を基板がフレーム３と平行な方向になるように取り付けられている。
【００１５】
１０はポンプ等の吸引手段（以下、「ポンプ」と称す）で、本体１内の酸素富化膜ユニット２の下方に設けられ、回転軸の両端に冷却用のファン１０ｂを有し、酸素富化膜ユニット２の周辺の空気を酸素富化膜４からフレーム３の通路内に吸引して下流側に送る。そして更にこのポンプ１０は、酸素富化膜４を通過した後の酸素富化空気を、下流側の消音パイプ１１を介して、本体１の側面に設けられた吐出口部１２に送り、さらに吐出口部１２と連結される後述の「酸素富化空気吐出手段」に送り込んでいる。また前記ポンプ１０には、酸素富化膜４の通過圧損に対抗して酸素富化空気の流量を稼ぐために運転時の圧力が高いベローズポンプが用いられている。また前記消音パイプ１１は本体内のポンプ１０の近傍に略水平に設け、その内部に水滴が溜まりにくくしながら、ポンプ１０から出た酸素富化空気の脈動や騒音を低減するものであり、消音パイプ１１の通路断面積は、その前後の通路部の断面積よりも大きくなっている。
【００１６】
更に前記ポンプ１０は図４に示す如く板金３７に取りつけられ、防振材３８、３９を介して本体１の底部ボスに嵌合して取り付けられている。ボスからの抜けを防止するワッシャ４０、ビス４１で留められている。さらに本体１は防振機能を持つ脚４２を底面に設けている。ポンプ１０の駆動源であるモータ１０ａの過熱防止のための温度ヒューズ４３はクッション４５によってモータ１０ａに接触する方向に付勢して取り付けられている。
【００１７】
１４は本体１の把手であり、回転軸部１５を中心に回動自在に設けられている。また１６、１７は、内ケース左、内ケース右であり、酸素富化膜ユニット２とポンプ１０を内蔵する内ケースを構成し、それぞれの上方に把手１４の回転軸部１５を直接受ける軸受け部１８、１９を一体に設けている。また２０は後述する「酸素富化空気吐出手段」を使用しない時に、引っ掛けて保持しておくための、保持部であり、その外端は大径部としてある。前記保持部２０は前記把手１４の回転軸部１５と一体に設けられており、本体１の側面に別途設ける必要が無く、把手１４の回動の邪魔になることもない。また回転軸部１５と一体に設けられているため、外観のデザイン性も違和感が無く、良いものである。
【００１８】
また図１０の要部概略構成図に示す如く、本体１内のポンプ１０と、酸素富化膜ユニット２のユニット排出口６との間の経路において、外気導入切替用の電磁弁６０を有し、運転終了前に約１分間、電磁弁６０を開いて酸素富化膜４を通過していない外気を吸入してポンプ１０により下流側に送る送風運転を行なうことにより、配管内等に滞留した高湿度の空気を換気し、水滴が発生した場合は、後述する「液だまり」まで追い出し、途中の経路が乾きやすいように構成してある。また、図１０に示すように外気導入切替用の電磁弁６０の上流には、ＨＥＰＡフィルター６１が設けられており、外気を導入する際に、前記ＨＥＰＡフィルター６１により、０．３ミクロンの粒子を９９．７％除去できるように構成されている。なお、上記送風運転はタイマーによる通常運転の終了後、所定（この実施の形態では１０秒）時間の停止状態を経て自動的に実行される。またタイマーによる通常運転を途中で停止するため切スイッチを操作した時も同様に送風運転を経て停止する。
【００１９】
一方図８に示す１３は、本体１側面に回動可能に取り付けた曲がり管によって構成された吐出口部１２に送られた酸素富化空気を、使用者に供給するためのヘッドセットユニット等の酸素富化空気吐出手段（以下、「ヘッドセットユニット」と称す）であり、前記ヘッドセットユニット１３は使用者が酸素富化空気を吸引するための吐出口２１を有している。また、本体１の側面に設けた吐出口部１２とヘッドセットユニット１３との間の経路には、液だまり２２と、吐出口部１２と前記液だまり２２とを接続する塩化ビニル等の柔軟な透明チューブからなる第一の連結管２３と、前記液だまり２２と前記ヘッドセットユニット１３を接続する塩化ビニル等の透明チューブからなる柔軟な第二の連結管２４とを備えている。そして上記第一の連結管２３と、第二の連結管２４は抗菌剤か帯電防止剤あるいはその両方を含んでおり、それぞれは液だまり２２で着脱自在に接続されている。
【００２０】
また前記ヘッドセットユニット１３は、耳当て部左２５と、耳当て部右２６と、耳当て部左２５と耳当て部右２６を接続するヘッドバンド２７と、酸素富化空気の吐出口２１と、耳当て部左２６の底面２８に着脱自在に連結され前記底面２８と吐出口２１を接続すると共に折り曲げ自在に設けられた可橈性自在継手部２９とを備えている。また、液だまり２２にその一端を接続された前記第二の連結管２４も、前記可橈性自在継手部２９同様、その他端を、ヘッドセットユニット１３の耳当て部左２５の底面２８に着脱自在に連結されている。
【００２１】
前記液だまり２２はＯリングで気密を保ちながら、ねじ方式あるいは圧入方式等により、その本体部分が２２ａと２２ｂの２つに分離可能に設けられ、本体部分を２つに分離して内部に溜まった水滴等を排出可能に設けられている。この時ねじ方式では１回転以内のねじりにより分離・結合が可能となるようにしてある。また、液だまり２２と第一の連結管２３との接続部、及び前記液だまり２２と第二の連結管２４との接続部から、それぞれ前記液だまり２２内に突き出た管部Ａ３０、管部Ｂ３１を設けるとともに、前記管部Ａ３０と管部Ｂ３１は、互いの管の中心軸をずらして設けてある。
【００２２】
一方、ヘッドセットユニット１３に設けた前記吐出口２１は、図９に示す如く吐出口本体２１ａと蓋帯２１ｂがバネラッチなどで開閉自在に構成され、その表面近傍の上流側に、ハニカム基材に酵素を添着したバイオ除菌フィルター等の除菌フィルター（以下、「バイオ除菌フィルター」と称す）３４を、表面近傍の下流側に、抗菌材アメニトップのＨＥＰＡフィルター等の高捕集効率フィルター（以下、「抗菌材アメニトップのＨＥＰＡフィルター」と称す）３５をそれぞれ有している。また、芳香剤を含浸した球状体４６を内蔵している。そして、前記バイオ除菌フィルター３４は、キャッチした菌などの活動を抑制し、さらにウイルスの活動も抑制する。また前記抗菌材アメニトップのＨＥＰＡフィルター３５は、０．３ミクロンの粒子を９９．７％除去すると共に、抗菌材アメニトップの働きで捕集した菌、カビの活動を制御するものであり、更に球状体４６は吐出空気に香をつけるものである。
【００２３】
また図５に示す３２は本体１の天面に設けられた運転スイッチであり、３３は、同じく本体１の天面に設けられ、選択されたタイマーによる運転時間あるいは送風運転の通電状態を表示するランプである。そして５０は本体１の前面に設けられ、通常運転をしている（高酸素濃度のいわゆる酸素富化空気の供給をしている）時のみ点灯表示するＬＥＤである。
【００２４】
次に、上記構成に基づく本実施の形態の動作について、説明する。
【００２５】
回路７０に含まれるタイマー（図示せず）で運転時間（１０分、２０分、３０分のいずれか１つ）を設定し、運転スイッチ３２を操作すると、防振材を介して取りつけたポンプ１０に動作電源を供給する制御手段（図示せず）が動作し、通電状態を示すランプ３３が点灯すると共に、タイマーで設定した時間に応じてポンプ１０が運転し、かつファン９が作動する。そしてファン９の運転により本体１に設けた吸気口７より外気が吸引され、この外気は酸素富化膜ユニット２を通り、排気口８から本体外に排出される。一方、前記酸素富化膜ユニット２を通る外気はこれを通過する際、ポンプ１０の運転により空気が酸素富化膜ユニット２のフレーム３内に吸引され、その際酸素が通過しやすいところから酸素富化された空気となる。そしてこの酸素富化空気は吐出口部１２に送出され、当該吐出口部１２より吐出される。
【００２６】
この時、ファン９は排気口８近傍に設けてあるからそのファン９の運転により、本体１内が負圧になり、吸気口７から外気が吸引され、吸気口７と排気口８との間に設けられた酸素富化膜ユニット２の周辺を流れるため、特に本体１内に、吸気口７から酸素富化膜ユニット２周辺を通り排気口８に至る吸気通路を設けなくても、酸素富化膜ユニット２の周辺に外気を運んでくることが可能になるものである。さらに、図５に示すように、ポンプ１０の周辺外郭に孔３６を設けておけば、ファン９の運転により本体１内が負圧になっているため、この孔３６からも外気が本体１内に入り込むため、孔３６周辺のポンプ１０の冷却も行えるようになるものである。更にポンプ１０の軸に設けたファン１０ｂにより、ポンプの冷却を強化できるものである。
【００２７】
また略直方体状の酸素富化膜ユニット２は、その構成部材である略長方形の酸素富化膜４の短辺側が空気の進行方向（本実施の形態では本体１の前後方向）と略並行になるように、また略長方形の酸素富化膜４の長辺側が空気の進行方向と略直角方向になるように、本体１内に設けられているため、酸素富化空気の得られる効率が良くなる。すなわち、仮に空気の流れの進行方向と酸素富化膜４の長辺側が略並行に設けられているとすると、酸素富化膜４の側面を通る空気の酸素濃度は、空気の流れに沿って前へ進んで行くほど、途中で酸素分子の多くが酸素富化膜４を通過していくため、小さくなる。従って酸素富化膜４を酸素分子が通過する効率も前へ進んで行くほど悪くなるが、本実施の形態では酸素富化膜４の短辺側が空気の進行方向（本実施の形態では本体１の前後方向）と略並行になるように設けられているため、酸素分子が酸素富化膜４を通過する効率が悪くなることもないのである。
【００２８】
また、酸素富化空気は、酸素富化膜ユニット２のユニット排出口６という唯一の排出口から排出されるため、下流のポンプ１０との接続が簡単になるものである。ポンプ１０の上に酸素富化膜ユニット２を配置したため、本体が小型で省設置面積ながら安定性の高い構成とでき、酸素富化膜ユニット２とポンプ１０の配管距離も短くできる。また、回路７０を基板がフレーム３と平行になる方向に取り付けたため、ファン９による冷却風流を利用しながら全体を小型化できるものである。
【００２９】
また、ポンプ１０には酸素富化膜４の通過圧損に対抗して酸素富化空気の流量を稼ぐべく、運転時の圧力が高いベローズポンプを用いているため、搬送される空気の脈動と振動に対して消音パイプ１１と防振材が有効に作用するものである。消音パイプ１１はポンプ１０の近傍に略水平に配置したため、内部の温度低下が少なく高湿度の空気が通っても結露し難いことに加えて水滴が溜まりにくい構成となっている。
【００３０】
ここで、酸素富化膜４は、酸素の透過速度の方が、窒素の透過速度より速く、特に本実施の形態では酸素の透過速度を窒素の透過速度の２倍以上としており、効率的かつ簡易的な構成で、酸素富化空気が得られるものである。
【００３１】
ポンプ１０の振動は板金３７を挟んだ防振材３８、３９と脚４２の防振効果により安定し、クッション４５は温度ヒューズ４３をモータ１０ａに接触させながら振動の伝播を抑えられるものである。
【００３２】
一方、酸素富化膜ユニット２のユニット排出口６からポンプ１０により送出される酸素富化空気は、第１、第２連結管２３、２４を介してヘッドセットユニット１３の吐出口２１より吐出されるが、吐出口部１２は上下に回動が可能なため、連結管が屈曲して空気が流れなくなることを抑制できる。その酸素富化空気内に含まれる水蒸気は、下流側の消音パイプ１１、吐出口部１２からヘッドセットユニット１３の吐出口２１に向かおうとし、さらにユニット排出口６からヘッドセットユニット１３に至る経路の途中（例えば、第一の連結管２３等）で結露した水滴もヘッドセットユニット１３の吐出口２１に向かおうとする。しかしながらこの実施の形態では、本体１とヘッドセットユニット１３を結ぶ経路（第１、第２連結管２３、２４）途中に液だまり２２が設けてあるので、運ばれてきた結露水の大部分は、液だまり２２内の内壁等に衝突し、液だまり２２内にせき止められるようになる。
【００３３】
また液だまり２２は、１回転以内のねじなどによる開閉のため着脱がしやすく、内部には管部Ａ３０、管部Ｂ３１を突き出すように設けてあるので、液だまり２２内に結露水がたまってもこの結露水は液だまり２２から第２の連結管２４等に流出し難くなるものである。また上記液だまり２２内に突き出た管部Ｂ３１の管部中心軸は、管部Ａ３０の管部中心軸とずらして設けられているため、運ばれてきた水蒸気についても、管部Ａ３０から管部Ｂ３１に直接流れ込むことを防止でき、管部同志の気流のぶつかりによる音も防止できるものである。このため、使用者の口元に、酸素富化空気と共にヘッドセットユニット１３の吐出口２１から水滴が飛散して不快感を与えることも防止できるものである。また、第１、第２の連結管は抗菌剤か帯電防止剤又はその両方を含有しているため、雑菌の繁殖やほこりの付着を防止できるもので清潔な使用ができる。
【００３４】
さらに、酸素富化膜４は酸素と同様、水蒸気の透過度も窒素より大きく、湿度が高い雰囲気などで運転したときには、ユニット排出口６から排出される酸素富化空気内には多量の水蒸気が含まれることとなるが、上記液だまり２２により、せき止めることが可能になり、酸素富化膜４等の高分子膜を用いる方式の酸素富化手段には、特に効果を発揮するものである。
【００３５】
また、本体１の側面に設けられた吐出口部１２より吐出される酸素富化空気は、第一の連結管２３、液だまり２２、第二の連結管２４を介して、耳当て部左２５の底面２８に送られる。そして、使用者が、前記耳当て部左２５の底面２８に取り付けられ、前記底面２８と吐出口２１を連結する折り曲げ自在の可橈性自在継手部２９を動かして、吐出口２１を使用者の口や鼻に近づけることにより、吐出口２１から吐出される酸素富化空気を、口や鼻から吸引できるようになる。
【００３６】
ここで、吐出口２１は、その表面近傍の上流側に、ハニカム基材に酵素を添着したバイオ除菌フィルター３４を、表面近傍の下流側に、抗菌材アメニトップのＨＥＰＡフィルター３５をそれぞれ有しており、前記バイオ除菌フィルター３４は、キャッチした菌などの活動を抑制し、さらにウイルスの活動も抑制し、また、前記抗菌材アメニトップのＨＥＰＡフィルター３５は、０．３ミクロンの粒子を９９．７％除去すると共に、抗菌材アメニトップの働きで捕集した菌、カビの活動を制御するため、経路の途中で雑菌等が発生しても、雑菌等を酸素富化空気と共に使用者が吸込むことを、使用者が吸引する吐出口２１手前の最終段階で防止できるものである。また上記吐出口２１は、吐出口本体２１ａと蓋体２１ｂで構成しているため、これらフィルター類や球状体４６の交換が容易にできる。そして球状体４６は液体を含浸させて構成したもので、液体に比べて香料の揮発量を制限でき、取り扱いも容易で周囲の樹脂の劣化に対する影響も少ない。
【００３７】
また、可橈性自在継手部２９は耳当て部左２５の底面２８に設けられているため、耳当て部左２５の壁面に拘束されること無く、どのような向きにでも自在に折り曲げできる。即ち、可橈性自在継手部２９が耳当て部左２５の側壁に設けられた場合に、その壁面が邪魔になり、一方向にしか折り曲げできなくなり、耳当て部左２５を使用者が誤って頭部の右側に装着した時に、使用者の口や鼻の近くに可橈性自在継手部２９を曲げることが出来なくなるというような不具合が生じるが、このような不具合もなくなるものである。
【００３８】
また、本体１とヘッドセットユニット１３とを接続する第一の連結管２３、第二の連結管２４は、それぞれ着脱自在に設けられているため、第一の連結管２３、第二の連結管２４の管内が汚れたときに外して洗うことが可能になり、また、第一の連結管２３、第二の連結管２４の長さ調整も自由にできるようになり、使用者の使用状態に合わせることが可能になり、使用勝手が向上するものである。
【００３９】
また、酸素富化機の本体１内の主要部品である酸素富化膜ユニット２とポンプ１０とを内蔵する内ケースを構成する、内ケース左１６、内ケース右１７と、それぞれ一体に設けられた軸受け部１８、１９を介して、これと嵌合する把手１４の回転軸部１５が直接、酸素富化膜ユニット２とポンプ１０とを内蔵する内ケースの荷重を受けることができる。    
【００４０】
従って、仮に本体１を構成する他の外郭部品等が破損したとしても、把手１４は直接影響を受けないため、把手１４を持って本体１を持ち運び中に、把手１４が本体１から外れて、本体１が使用者の足の上当に落下するというようなこともなくなり、安全性が向上するものである。
【００４１】
さらに、把手１４には、保持部２０が設けられているため、ヘッドセットユニット１３を使用しない時などは、この保持部２０に、塩化ビニル等のチューブからなる第一の連結管２３や第二の連結管２４を巻きつける、あるいは、この保持部２０にヘッドセットユニット１３のヘッドバンド２７を引っ掛ける等することにより、ヘッドセットユニット１３が放置されることもなく、コンパクトに、把手１４の回動を妨げずに収納できるものである。ヘッドセットユニット１３は袋に入れて保持部２０に引っ掛ければ長期に保管してもほこりの付着を防止でき、電源コードも掛けられる。香料の入っている袋を下げた場合は排気口８の前面になるため香の拡散効果が高められる。
【００４２】
また、塩化ビニル等のチューブからなる第二の連結管２４からヘッドセットユニット１３に運ばれてきた水滴（この水滴は連結管２４を短くすることによってほとんどなくすることが出来る）やヘッドセットユニット１３内部で結露した水滴は、通常排水が困難であり、内部に排水できずに溜まり、カビや雑菌の発生の原因となったり、あるいは酸素富化空気と一緒に人体に吸込んでしまうということになり易いが、本実施の形態では、第二の連結管２４がヘッドセットユニット１３の底面２８に着脱自在に連結されているため、第二の連結管２４を底面２８から着脱するだけで、底面２８に集まって溜まっている水滴を、容易に排水することが可能になるものである。
【００４３】
またこの酸素富化機では、通常運転に続けて自動的に送風運転を行うことで、雨天日の使用などで機体内及び配管の中に高湿度の空気が溜まってもこれを入れかえることが出来、保管時に雑菌が繁殖しにくい環境を作っている。また、表示はそれらの運転状態や一連の中にある停止状態を示し、一時停止の状態をはさむことに加えて、送風運転時の風量を通常運転時の風量の二倍以上にして早く換気できるようにした時の送風音の違いが発生する前に使用者に報知してヘッドセットの装着からの取り外しなどを喚起できるようにもしてある。また、送風運転時に空気を取り込む部分にＨＥＰＡなどの高性能フィルターを設けることで配管内に雑菌が入り込むことが防止できるものである。
【００４４】
また図１２に示すように、特に容器式の液だまりを設けずに例えば酸素富化空気の供給経路内の途中適所に、シリコン等の撥水機能を有するフィルター８０を設けて液だまりとしてもよく、水蒸気がこのフィルター８０を通過しようとした際には、撥水機能により水滴となってフィルター８０の上流側に溜まるため、水蒸気の通過を防止でき、先の実施の形態の液だまり２２と同様の効果を奏する事が可能である。
【００４５】
また、マイナスイオン発生器（図示せず）を設け、前記マイナスイオン発生器にて発生したマイナスイオンを、酸素富化空気と混合させ、使用者が吸引できる形態にすれば、リラックス効果を拡大して得ることもできるようになる。
【００４６】
尚上記実施の形態において、酸素富化手段として、高分子の平膜に分子が通過する速度の差を利用して高濃度の酸素富化空気を発生させる方式（平膜方式）を用いたが、これに限定されるものではなく、中空糸膜を利用した方式（中空糸膜方式）、あるいは、ゼオライト等の固体表面における気体の吸脱着を利用した方式（ＰＳＡ方式）、あるいは、酸素発生剤を水に反応させる等の化学物質の化学反応を利用する方式（化学方式）等でも同様の効果を奏するものである。
【００４７】
また、上記実施の形態のヘッドセット１３において、耳当て部左２５と耳当て部右２６とを、それぞれ耳に当てるように設けたが、耳に引っ掛けるように構成しても支障がないものである。また耳当て部左２５あるいは耳当て部右２６のいずれか片方しか具備していなくとも支障がなく、その際ヘッドバンド２７は無くても支障がないものである。
【００４８】
また、上記実施の形態のヘッドセット１３において、吐出口２１をその先端に有する可橈性自在継手部２９を耳当て部左２５に接続したが、耳当て部右２６に接続しても支障がないものである。
【００４９】
また、上記実施の形態のヘッドセット１３において、液だまり２２に接続された第二の連結管２４を、耳当て部左２５に接続したが、耳当て部右２６に接続しても支障がないものである。
【００５０】
更に上記実施の形態において、酸素富化空気吐出手段として、使用者が頭部に装着するヘッドセットユニット１３を例示したが、これに限定されるものではなく、首部あるいは肩部にかけるタイプでも支障がなく、また腕の一部や胴体の一部にマジックテープ（登録商標）等で巻きつけるタイプでも支障がなく、さらにネクタイ等の衣服の一部にピン等で止めるタイプでも支障がなく、もちろん防塵マスクのように耳等を使って顔の一部を覆うタイプでも支障がないものである。
【００５１】
尚上記実施の形態において、液だまり２２を分離できるようにして、内部に溜まった水滴を排出できるように構成したが、これに限定されるものではなく、図１１に示すように、液だまり２２の本体部分２２ｃは一体で構成し、本体部分２２ｃの一部に、ネジ方式あるいは圧入方式等により着脱自在の排水キャップ２２ｄを設け、前記排水キャップ２２ｄを前記液だまり２２の本体部分２２ｃから外して内部の水を排出する構成としても同様の効果を奏するものである。勿論球状体４６のような香料を液溜まり２２内に入れてもよい。
【００５２】
また液だまりは吐出口２１までの経路であればどこに、例えば耳当て部左２５自体の底面２８或は自在継手部２９の途中等に設けてもよいものである。
【産業上の利用可能性】
【００５３】
以上のように、本発明にかかる酸素富化機は、フィルター通過後に酸素富化空気が吐出するため、清潔で、使用者に常にリフレッシュ感を提供する機器として、極めて有用なものである。
【図面の簡単な説明】
【００５４】
【図１】本発明の実施の形態１における酸素富化機を示す本体の側面からみた断面図
【図２】同本体の背面からみた断面図
【図３】同本体の天面からみた断面図
【図４】同ポンプの取付け部を示す腰部断面図
【図５】（ａ）同本体の正面図（ｂ）同本体の側面図（ｃ）同本体の背面図（ｄ）同本体の平面図
【図６】同酸素富化膜ユニットを構成するモジュールの分解斜視図
【図７】（ａ）同モジュールを複数枚並べた状態の外観斜視図（ｂ）同モジュールで構成される酸素富化膜ユニットの外観斜視図
【図８】同酸素富化機のヘッドセットを示す外観斜視図
【図９】同ヘッドセットユニットにおける吐出口部の詳細を表す断面図
【図１０】同酸素富化空気の供給経路の腰部を示す概略構成図
【図１１】同他の酸素富化機の液だまりを示す外観斜視図
【図１２】同他の酸素富化機の液だまりを示す外観斜視図
【符号の説明】
【００５５】
１  本体
２  酸素富化膜ユニット（酸素富化手段）
４  酸素富化膜
６  ユニット排出口
９  ファン（送風部）
１０  ポンプ（吸引手段）
１３  ヘッドセットユニット（酸素富化空気吐出手段）
２１  吐出口
２２  液だまり
２３  第一の連結管
２４  第二の連結管
３４  バイオ除菌フィルター
３５  ＨＥＰＡフィルター
【図１】
2004219041.tif 000003
【図２】
2004219041.tif 000004
【図３】
2004219041.tif 000005
【図４】
2004219041.tif 000006
【図５】
2004219041.tif 000007
【図６】
2004219041.tif 000008
【図７】
2004219041.tif 000009
【図８】
2004219041.tif 000010
【図９】
2004219041.tif 000011
【図１０】
2004219041.tif 000012
【図１１】
2004219041.tif 000013
【図１２】
2004219041.tif 000014